(57)【要約】【課題】柱や梁、土台などの構成部材どうしの結合箇所に使用される羽子板ボルト、特にボルト差込みタイプの羽子板ボルトのコストダウンを図る。【解決手段】取付用プレート１とボルト２との組み合わせから成り、取付用プレート１は、１枚の金属板の裁断と曲げ加工により一体成形されたもので、それぞれ取付孔７を備えた左右一対の取付座部４，５と、この両取付座部４，５の内側辺に形成された凹入部４ｂ，５ｂと、この両取付座部４，５の内側辺凹入部４ｂ，５ｂどうしをつなぐアーチ形起立帯状板部６とを備え、当該アーチ形起立帯状板部６の内側に前記ボルト２が挿通された構成。【選択図】図１
2007211877.tif 000002
【特許請求の範囲】
【請求項１】
取付用プレートとボルトとの組み合わせから成り、取付用プレートは、１枚の金属板の裁断と曲げ加工により一体成形されたもので、それぞれ取付孔を備えた左右一対の取付座部と、この両取付座部の内側辺に形成された凹入部と、この両取付座部の内側辺凹入部どうしをつなぐアーチ形起立帯状板部とを備え、当該アーチ形起立帯状板部の内側に前記ボルトが挿通されている、羽子板ボルト。
【発明の詳細な説明】
【技術分野】
【０００１】
本発明は、主として木造建築物の柱や梁、土台などの構成部材どうしの結合箇所に使用される羽子板ボルト、特にボルト差込みタイプの羽子板ボルトに関するものである。
【背景技術】
【０００２】
羽子板ボルトは、取付用プレートとボルトとから成るもので、例えば、互いに結合される２つの構成部材の一方に取付用プレートをラグスクリューなど各種釘状物で止着し、この取付用プレートから延出するボルトを他方の構成部材に設けられた貫通孔に挿通して、当該他方の構成部材から反対側に突出するボルトにナットを螺合締結することにより、両構成部材を互いに直交する状態で結合することができるものである。而して、従来周知の一般的な羽子板ボルトは、取付用プレートの端部にボルトの一端部（頭部を有するボルトの場合はその頭部側）を溶接により固着してなるボルト溶接タイプのものであるが、使用箇所や使用方法に応じてボルトを自由に取り換えることができるボルト差込みタイプの羽子板ボルト、即ち、取付用プレートの端部に筒状部材を溶接により固着し、当該筒状部材にボルトを抜き差し自在に挿通させたボルト差込みタイプの羽子板ボルトが知られている。
【発明の開示】
【発明が解決しようとする課題】
【０００３】
上記のような従来のボルト差込みタイプの羽子板ボルトは、取付用プレートの製造時に別部品である筒状部材を溶接により固着しなければならず、製造コストが高くつくものであった。
【課題を解決するための手段】
【０００４】
本発明は上記のような従来の問題点を解消し得るボルト差込みタイプの羽子板ボルトを提供することを目的とするものであって、その手段を後述する実施形態の参照符号を付して示すと、取付用プレート１とボルト２との組み合わせから成り、取付用プレート１は、１枚の金属板の裁断と曲げ加工により一体成形されたもので、それぞれ取付孔７を備えた左右一対の取付座部４，５と、この両取付座部４，５の内側辺に形成された凹入部４ｂ，５ｂと、この両取付座部４，５の内側辺凹入部４ｂ，５ｂどうしをつなぐアーチ形起立帯状板部６とを備え、当該アーチ形起立帯状板部６の内側に前記ボルト２が挿通された構成となっている。
【発明の効果】
【０００５】
上記構成の本発明に係る羽子板ボルトによれば、取付用プレートに必要なボルト挿通用の貫通孔部が両取付座部の内側辺凹入部どうしをつなぐアーチ形起立帯状板部で構成されるもので、この取付用プレートが１枚の金属板の裁断と曲げ加工により一体成形されるものであるから、従来のように取付用プレートの製造時に別部品である筒状部材を溶接により固着する必要がなくなり、溶接工程が無くなると共に１枚の金属板のみから構成できるので、大幅なコストダウンと軽量化を図ることができる。
【０００６】
以下に本発明の具体的実施例を添付図に基づいて説明すると、図１において、１は取付用プレート、２はボルト、３はナットである。取付用プレート１は、図２に示すように裁断された１枚の金属板のみを曲げ加工（プレス加工）して構成されるもので、左右一対の取付用座部４，５とアーチ形起立帯状板部６とを備え、取付用座部４，５にはそれぞれ複数個の取付孔７が設けられている。
【０００７】
取付用プレート１を構成する１枚の金属板は、図２に示すように、長方形でそれぞれ複数個の取付孔７が設けられた左右一対の取付用座部４，５と、両取付用座部４，５の内側辺４ａ，５ａで一端近傍位置に、取付用座部４，５の巾の略半分の深さで形成された角形凹入部４ｂ，５ｂと、これら両角形凹入部４ｂ，５ｂの内側辺４ｃ，５ｃどうしを連結一体化する帯状板部６とを有するもので、この帯状板部６の長さ方向の中央位置を横断する中心線６ａを対称軸として左右対称形に形成されている。而して、帯状板部６の両端部を角形凹入部４ｂ，５ｂの内側辺４ｃ，５ｃに沿った折れ線６ｂ，６ｃで直角上向きに曲げると同時に帯状板部６の長さ方向の中央部分を半円形に突曲させるように曲げて当該帯状板部６をアーチ形に起立させることにより、左右一対の取付用座部４，５を、その内側辺４ａ，５ａが互いに隣接するように接近させ、平面形状で１つの長方形を形成させている。
【０００８】
上記のように構成された取付用プレート１は、ボルト２が組み合わせられて羽子板ボルトとして使用されるが、その使用方法について説明すると、図４は、柱８と梁９との結合箇所に上記構成の羽子板ボルトを使用した例を示しており、柱８の側面に取付用プレート１が、その左右一対の取付用座部４，５の取付孔７を利用して、ラグスクリューなど各種釘状物１０により固着される。そして梁９には、上記のように取り付けられた取付用プレート１のアーチ形起立帯状板部６に対応して貫通孔１１が設けられており、アーチ形起立帯状板部６の側から当該アーチ形起立帯状板部６内と梁９の貫通孔１１とにわたってボルト２が挿通され、梁９の反対側に突出したボルト２にナット３が螺合されることにより、柱８に梁９が締結される。尚、ボルト２の頭部２ａとアーチ形起立帯状板部６との間やナット３の内側には、必要に応じて座金１２，１３が配置される。
【０００９】
図５は、土台１４と柱１５との結合箇所に上記構成の羽子板ボルトを使用した例を示しており、布基礎の上に固定される前の土台１４に、下端側に座ぐり孔１６ａを備えた上下方向の貫通孔１６が柱１５の立設位置に合わせて設けられ、座ぐり孔１６ａに嵌合してボルト２の回り止めとなる座金１７を備えたボルト２が貫通孔１６に上向きに挿通されている。この土台１４が布基礎の上に固定され、この土台１４の上に柱１５が配置されたならば、土台１４から突出するボルト２をアーチ形起立帯状板部６内に挿通させるように取付用プレート１が柱１５の側面にラグスクリューなど各種釘状物１０により固着される。この後、アーチ形起立帯状板部６から上向きに突出するボルト２に座金１８を介してナット３が螺合されることにより、土台１４に柱１５が締結される。
【００１０】
図６は、柱１９に対して両側に同一レベルで梁２０，２１が結合される箇所に上記構成の羽子板ボルトを使用した例を示しており、両側の梁２０，２１の上面（又は下面）にそれぞれ取付用プレート１がラグスクリューなど各種釘状物１０により固着される。そして柱１９には、両側の取付用プレート１のアーチ形起立帯状板部６に対応して貫通孔２２が設けられており、一方の梁２０上の取付用プレート１のアーチ形起立帯状板部６の側から当該アーチ形起立帯状板部６内と柱１９の貫通孔２２、及び他方の梁２１上の取付用プレート１のアーチ形起立帯状板部６内を通すようにボルト２が挿通され、当該ボルト２の遊端側にナット３が螺合されることにより、柱１９に梁２０，２１が締結される。尚、ボルト２の頭部２ａとアーチ形起立帯状板部６との間やナット３の内側には、必要に応じて座金２３，２４が配置される。
【図面の簡単な説明】
【００１１】
【図１】羽子板ボルト全体を示す斜視図である。
【図２】羽子板ボルトの取付用プレートの成形前金属板を示す平面図である。
【図３】Ａ図は羽子板ボルトの取付用プレートを示す平面図、Ｂ図は同正面図である。
【図４】第一の使用例を示す一部縦断側面図である。
【図５】第二の使用例を示す一部縦断側面図である。
【図６】第三の使用例を示す一部縦断側面図である。
【符号の説明】
【００１２】
１    取付用プレート
２    ボルト
２ａ    ボルト頭部
３    ナット
４，５    取付用座部
４ａ，５ａ    取付用座部の内側辺
４ｂ，５ｂ    取付用座部の角形凹入部
４ｃ，５ｃ    角形凹入部の内側辺
６    アーチ形起立帯状板部
６ａ    帯状板部の中心線
６ｂ，６ｃ    帯状板部の折り線
７    取付孔
８，１５，１９    柱
９，２０，２１    梁
１０    ラグスクリューなど各種釘状物
１１，１６，２２    貫通孔
１２，１３，１７，１８，２３，２４    座金
１４    土台
【図１】
2007211877.tif 000003
【図２】
2007211877.tif 000004
【図３】
2007211877.tif 000005
【図４】
2007211877.tif 000006
【図５】
2007211877.tif 000007
【図６】
2007211877.tif 000008